(57)【要約】      （修正有）【課題】水中の酸素含有量を高めバイオ菌の生成を促進し、濾過の効果を有し、各鑑賞魚用水槽関連設備を固定してその鑑賞魚用水槽への取り付けに供される鑑賞魚用水槽の複合式蓋の提供。【解決手段】階段式水路１１１が凹設された蓋体１が主体とされ、該階段式水路の上方に一つ以上のフィルタシート３が設けられ、階段式水路の上方に位置する揚水ポンプ装置４２が水を吸い出してフィルタシートで濾過した後、階段式水路の下方に位置する水車装置を介して水槽に流入する。【選択図】図３
0003105108.tif 000002
【実用新案登録請求の範囲】
【請求項１】
鑑賞魚用水槽の複合式蓋において、該複合式蓋は、主体である蓋体、一つ以上のフィルタシート、揚水ポンプ装置、水車装置を具え、
該蓋体は、鑑賞魚用水槽の上部に嵌合され、その一側に第１収容室が凹設され、且つ該第１収容室の底部は多段状とされて高所から低所に階段式水路が形成され、該階段式水路の高い位置の近隣に第２収容室が形成され、別に該階段式水路の低い位置の近隣に第３収容室が形成され、
該一つ以上のフィルタシートは、その本体が内部にフィルタ綿を具え、階段式水路の上方に設置され、
該揚水ポンプ装置は、第２収容室内に設置され、それは揚水ポンプと固定座を具え、
該水車装置は、第３収容室内に設置され、それは水車と導水座を具えていることを特徴とする、鑑賞魚用水槽の複合式蓋。
【請求項２】
請求項１記載の鑑賞魚用水槽の複合式蓋において、階段式水路の上方の側壁に複数の相互に対応する位置決めリブが設けられたことを特徴とする、鑑賞魚用水槽の複合式蓋。
【請求項３】
請求項１記載の鑑賞魚用水槽の複合式蓋において、フィルタシートの本体側辺に外向きに延伸された把手が設けられたことを特徴とする、鑑賞魚用水槽の複合式蓋。
【請求項４】
請求項１記載の鑑賞魚用水槽の複合式蓋において、水車装置の導水座の円弧形底板の両側より上向きに相互に対応する一対の支持アームが延伸され、各支持アームに相互に対応する軸孔が設けられたことを特徴とする、鑑賞魚用水槽の複合式蓋。
【請求項５】
請求項４記載の鑑賞魚用水槽の複合式蓋において、水車装置の導水座の円弧形底板の一側に複数の貫通孔が設けられたことを特徴とする、鑑賞魚用水槽の複合式蓋。
【考案の詳細な説明】
【技術分野】
【０００１】
本考案は一種の鑑賞魚用水槽の複合式蓋に係り、特に水中の酸素含有量を高めバイオ菌の生成を促進し、濾過効果も具えた鑑賞魚用水槽の複合式蓋に関する。
【背景技術】
【０００２】
一般に鑑賞魚用水槽９の上方には濾過装置９１が設けられ、それは揚水ポンプ９１１の動作により、水槽内の水を吸い出して濾過装置９１のフィルタ綿層９１２を通して水中の不純物を濾過した後に、出水管９１３で濾過後の水を鑑賞魚用水槽内に戻す（図５参照）。しかしこのような方式は以下のような欠点がある。
１．フィルタ綿層９１２の体積が大きく、交換、洗浄及び取付のいずれにも面倒で不便である。
２．濾過後の水の流れが平坦であり、更にフィルタ綿層９１２の緩衝により水流が十分に攪乱されて空気と混合されず、水中の酸素含有量が低くなり、魚類の活動力に影響を与える。
３．フィルタ綿層９１２の洗浄が不便で、経常的に交換できず、このため有害な水中の不純物が蓄積されやすく、有益なバイオ菌の生成を阻害し、魚の生存に不利である。
【考案の開示】
【考案が解決しようとする課題】
【０００３】
本考案は上述の従来の技術の欠点を鑑み、それを改善すべく一種の鑑賞魚用水槽の複合式蓋を提供するものである。即ち、本考案の目的は、水中の酸素含有量を高めバイオ菌の生長を促進し、また濾過効果も具備する鑑賞魚用水槽の複合式蓋を提供することにある。それは蓋体に揚水ポンプ、照明装置等鑑賞魚用水槽周辺設備を取り付けることができ、これにより空間の節約と取付の便利性を増す等、多種類の進歩した機能を具備するものとする。
【課題を解決するための手段】
【０００４】
請求項１の考案は、鑑賞魚用水槽の複合式蓋において、該複合式蓋は、主体である蓋体、一つ以上のフィルタシート、揚水ポンプ装置、水車装置を具え、
該蓋体は、鑑賞魚用水槽の上部に嵌合され、その一側に第１収容室が凹設され、且つ該第１収容室の底部は多段状とされて高所から低所に階段式水路が形成され、該階段式水路の高い位置の近隣に第２収容室が形成され、別に該階段式水路の低い位置の近隣に第３収容室が形成され、
該一つ以上のフィルタシートは、その本体が内部にフィルタ綿を具え、階段式水路の上方に設置され、
該揚水ポンプ装置は、第２収容室内に設置され、それは揚水ポンプと固定座を具え、
該水車装置は、第３収容室内に設置され、それは水車と導水座を具えていることを特徴とする、鑑賞魚用水槽の複合式蓋としている。
請求項２の考案は、請求項１記載の鑑賞魚用水槽の複合式蓋において、階段式水路の上方の側壁に複数の相互に対応する位置決めリブが設けられたことを特徴とする、鑑賞魚用水槽の複合式蓋としている。
請求項３の考案は、請求項１記載の鑑賞魚用水槽の複合式蓋において、フィルタシートの本体側辺に外向きに延伸された把手が設けられたことを特徴とする、鑑賞魚用水槽の複合式蓋としている。
請求項４の考案は、請求項１記載の鑑賞魚用水槽の複合式蓋において、水車装置の導水座の円弧形底板の両側より上向きに相互に対応する一対の支持アームが延伸され、各支持アームに相互に対応する軸孔が設けられたことを特徴とする、鑑賞魚用水槽の複合式蓋としている。
請求項５の考案は、請求項４記載の鑑賞魚用水槽の複合式蓋において、水車装置の導水座の円弧形底板の一側に複数の貫通孔が設けられたことを特徴とする、鑑賞魚用水槽の複合式蓋としている。
【考案の効果】
【０００５】
本考案は水中の酸素含有量を高めバイオ菌の生成を促進し、濾過の効果を有し、各鑑賞魚用水槽関連設備を固定してその鑑賞魚用水槽への取り付けに供される。
【考案を実施するための最良の形態】
【０００６】
本考案の鑑賞魚用水槽の複合式蓋は、階段式水路が凹設された蓋体が主体とされ、該階段式水路の上方に一つ以上のフィルタシートが設けられ、階段式水路の上方に位置する揚水ポンプ装置が水を吸い出してフィルタシートで濾過した後、階段式水路の下方に位置する水車装置を介して水槽に流入するよう形成されている。
【実施例１】
【０００７】
図１、２、３に示されるように、本考案は主体とされる蓋体１と、一つ以上のフィルタシート３、揚水ポンプ装置４、水車装置２を具えている。
【０００８】
該蓋体１は、鑑賞魚用水槽５の上部に嵌合される蓋体とされ、その一側に第１収容室１１が凹設され、且つ該第１収容室１１の底部１１２は多段状とされ、並びに高所から低所にむけて階段式水路１１１が形成され、且つ該階段式水路１１１の上部の側壁１１４に複数の相互に対応する位置決めリブ１１３が設けられ、該階段式水路１１１の高い位置の近隣に第２収容室１４が形成され、それは貫通孔１４１を具え、別に該階段式水路１１１の低い位置の近隣に第３収容室１２が形成されている。
【０００９】
該一つ以上のフィルタシート３は、その本体が内部にフィルタ綿３３を具え、その本体側辺に外向きに延伸された凸縁３２が形成されて該階段式水路１１１の上部の位置決めリブ１１３を支持並びに位置決めするのに供され、該フィルタシート３の一側端に外向き上向きに延伸された把手３１が設けられている。
【００１０】
該揚水ポンプ装置４は、第２収容室１４内に取り付けられ、それは、揚水ポンプ４２及び固定座４１を具え、該揚水ポンプ４２は固定座４１内に固定され、その側部より出水管４２１が延伸されて、その出水位置はフィルタシート３よりやや高い位置とされ、また、該固定座４１は第２収容室１４の貫通孔１４１を貫通し、並びに該固定座４１の上縁４１１が該貫通孔１４１の孔縁１４２に固定される。
【００１１】
該水車装置２は、第３収容室１２内に取り付けられ、それは水車２２と導水座２１を具え、該水車２２は周囲に複数の羽根２２３が配置された輪体２２０を具え、且つ該輪体２２０中央に軸２２２があり、該軸２２２と輪体２２０の間にスポンジ２２１が充填され、別に導水座２１は円弧形底板２１１を具え、円弧形底板２１１の一側に複数の貫通孔２１２が設けられ、且つ該円弧形底板２１１の側縁が外向きに延伸されて凸縁２１５が形成され、円弧形底板２１１が第３収容室１２の側壁凸縁１２１に支持され、また該円弧形底板２１１の両側より上向きに相互に対応し一対をなす支持アーム２１３が延伸され、且つ該支持アーム２１３に対応する軸孔２１４が設けられ、水車２２の軸２２２が挿入されて回転の中心とされる。
【００１２】
以上の構成部品で構成され、揚水ポンプ４２が揚水動作を行なう時、鑑賞魚用水槽５内の水は揚水ポンプ４２の抽出により出水管４２１を通り排出され、その水はフィルタシート３の上方より強制的にフィルタシート３を通過して水中の不純物がフィルタシート３に残留し、濾過後の水が階段式水路１１１に沿って下向きに流れ、階段式水路１１１の底部１１２が多段状を呈するため、水流は自然に回転波動を形成し、これによりその空気との混合効果が強化されて水中の酸素含有量が高くなる。また、水流が該階段式水路１１１の下方位置を流れ、その出口は直接水車２２の羽根２２３に衝突し、並びに該水車２２を回転させる。こうして水が再度回転し、良好な空気との混合効果が得られる。また水車２２中のスポンジ２２１が濾過された水に長期に浸されるため有益なバイオ菌を生成させやすく、並びに水流に伴いそれが鑑賞魚用水槽５中に流入して魚類生体の育成を助ける。このほか、水車２２の回転を通り流れる水流は円弧形底板２１１の案内により、一部は貫通孔２１２より比較的近い位置に流入し、別の一部は出水口２１６より遠い位置に流入し、これにより鑑賞魚用水槽５内の水流に波動が生じる。且つ本考案のフィルタシート３は従来の技術に較べて小さい片体式とされ、交換、取付を速やかに行なえ、これにより常時水質を綺麗に保つことができ、魚類の飼育に有利である。
【００１３】
本考案はその空間の運用を強化するため、及び各種の鑑賞魚用水槽関係周辺設備の取付用に、該蓋体１の第２収容室１４の底部の一側にあって、貫通孔１４１と近接する位置に、別に貫通孔１４３が増設されて内部に加熱管１９を具えた保護カバー１５の挿入と固定に供され、該保護カバー１５の表面に密に貫通孔１５１が設けられ、これにより水流が流入して加熱管１９と熱交換を行ない、魚類の加熱管１９との直接衝突による火傷を防止している。
【００１４】
また、本考案の第１収容室１１、第２収容室１４、第３収容室１２の上方は上蓋１３で被覆され、これにより空気中の灰塵が直接落ちて水質に影響を与えるのを防止し、また飼料のフィードに便利とされている。本考案はその蓋体１の前縁に開閉式の前蓋１７を枢設可能である。このほか、送風ファン１６が蓋体１の、送風孔１８１を具えた送風座１８に取り付けられ、照明設備等の装置はいずれも製造と消費の要求により、蓋体１の使用可能な空間に付加されるが、この部分は周知の技術であり本考案の技術特徴も存在しないため、詳しい説明は省略する。
【図面の簡単な説明】
【００１５】
【図１】本考案の立体分解図である。
【図２】本考案の立体図である。
【図３】本考案の組合せ断面図である。
【図４】本考案の加熱管と保護カバーの局部組合せ表示図である。
【図５】周知の鑑賞魚用水槽用濾過装置の表示図である。
【符号の説明】
【００１６】
９  鑑賞魚用水槽                      ９１  濾過装置
９１１  揚水ポンプ                    ９１２  フィルタ綿層
９１３  出水管
１  蓋体                              １１  第１収容室
１１１  階段式水路                    １１２  底部
１１３    位置決めリブ                １１４  側壁
１２  第３収容室                      １２１  側壁凸縁
１３  上蓋                            １４  第２収容室
１４１  貫通孔                        １４２  孔縁
１４３  貫通孔                        １５  保護カバー
１５１  貫通孔                        １６  送風ファン
１７  前蓋                            １９  加熱管
２  水車装置                          ２１  導水座
２１１  円弧形底板                    ２１２  貫通孔
２１３  支持アーム                    ２１４  軸孔
２１５  凸縁                          ２１６  出水口
２２  水車                            ２２０  輪体
２２１  スポンジ体                    ２２２  軸
２２３  羽根                          ３  フィルタシート
３１  ハンドル                        ３２  凸縁
３３  フィルタ綿                      ４  揚水ポンプ装置
４１  固定座                          ４１１  上縁
４２  揚水ポンプ                      ４２１  出水管
５  鑑賞魚用水槽
【図１】
0003105108.tif 000003
【図２】
0003105108.tif 000004
【図３】
0003105108.tif 000005
【図４】
0003105108.tif 000006
【図５】
0003105108.tif 000007